(57)【特許請求の範囲】
【請求項１】
エアゾール容器の頂部から上方付勢状態で突出するステムに嵌着すると共に、横向きの噴射口を備えて押し下げ操作される噴射ボタン本体が、使用時に操作部を上面から突出させた状態でエアゾール容器の肩部をカバーする肩カバーでカバーされるようになったエアゾール容器用噴射ボタンにおいて、
肩カバーがエアゾール容器の円周方向に回転可能に装着されると共に、噴射口に対して上方の噴射ボタン本体の頭部に、その外周面に内周面が螺合するボタンキャップが装着され、
前記肩カバーの上面中心部に、前記ボタンキャップを突出させる開口部が形成されると共に、前記ボタンキャップを回転駆動しつつ前記開口部を通して上動させ得るように、前記ボタンキャップの外周に形成されたレール係合溝又はレールに係合するレール又はレール係合溝が前記肩カバーに設けられ、
この肩カバーの回転操作範囲が、前記ボタンキャップの上面が前記肩カバーの上面に対して略同一面状になる通常位置及び上方に突出する使用位置に前記ボタンキャップを回転駆動するように設定されると共に、前記使用位置で前記噴射口に対面する前記肩カバー領域に噴射窓が開口されていることを特徴とするエアゾール容器用噴射ボタン。
【請求項２】
ステムを突出させるマウンティングキャップの外周面に、噴射口に対して下方の噴射ボタン本体の基部を細隙を置いて包囲する噴射ボタン基部が装着され、
この噴射ボタン基部に肩カバーの下端部が回転可能に装着され、さらに前記噴射ボタン基部に、前記肩カバーの内周面に突設された被拘束片に当接して前記肩カバーの回転操作位置を通常位置及び使用位置に拘束するストッパが設けられていることを特徴とする請求項１記載のエアゾール容器用噴射ボタン。
【請求項３】
ストッパが、使用位置で噴射口に対面する肩カバー領域に開口する噴射窓を通常位置で閉鎖するように、エアゾール容器の円周方向に沿った円弧状プレートとして形成され、
その回転方向の一方の側縁で前記肩カバーの内周面に突設された一対の被拘束片の一方を通常位置で拘束し、他方の側縁で前記被拘束片の他方を使用位置で拘束することを特徴とする請求項２記載のエアゾール容器用噴射ボタン。
【請求項４】
肩カバーに、ボタンキャップの外周に形成されたレール係合溝に係合するレールが設けらると共に、その下端部に前記ボタンキャップの周面下縁を係止して通常位置での前記ボタンキャップの押し下げ操作を拘束する爪状ストッパが形成されていることを特徴とする請求項１記載のエアゾール容器用噴射ボタン。
【発明の詳細な説明】
【０００１】
【発明の属する技術分野】
本発明は、エアゾール容器の頂部から上方付勢状態で突出するステムに嵌着すると共に、横向きの噴射口を備えて押し下げ操作される噴射ボタン本体が、使用時に操作部を上面から突出させた状態でエアゾール容器の肩部をカバーする肩カバーでカバーされるようになったエアゾール容器用噴射ボタンに関するものである。
【０００２】
【従来の技術】
この種の肩カバーを備えた噴射ボタン用のエアゾール容器としては、実開昭６１−１２３０７３号公報により、肩カバーの基端部を直接又は間接に容器頂部の周面に螺合され、不使用時には肩カバーの上面開口部の周辺で押し下げ操作部の突起を拘束し、使用時には肩カバーをそのねじ廻し操作で下降させて、操作部を肩カバーの上面開口部から突出させる肩カバー付噴射ボタンが提案されている。
【０００３】
【発明が解決しようとする課題】
これにより、不使用時には噴射ボタンの押し下げ操作が不能となり、使用時には肩カバーを装着したままで操作可能となるが、外観を向上せる目的の肩カバーに螺合部が付設されるために外観上好ましくなく、また肩カバーのねじ廻し操作を要するために、高級感を欠いていた。
【０００４】
本発明は、このような点に鑑みて、使用時に肩カバーの単なる回転操作により操作部を肩カバー上面から突出させ得るエアゾール容器用噴射ボタンを提供することを目的とする。
【０００５】
【課題を解決するための手段】
本発明は、この目的を達成するために、請求項１により、エアゾール容器の頂部から上方付勢状態で突出するステムに嵌着すると共に、横向きの噴射口を備えて押し下げ操作される噴射ボタン本体が、使用時に操作部を上面から突出させた状態でエアゾール容器の肩部をカバーする肩カバーでカバーされるようになったエアゾール容器用噴射ボタンにおいて、肩カバーがエアゾール容器の円周方向に回転可能に装着されると共に、噴射口に対して上方の噴射ボタン本体の頭部に、その外周面に内周面が螺合するボタンキャップが装着され、肩カバーの上面中心部に、ボタンキャップを突出させる開口部が形成されると共に、ボタンキャップを回転駆動しつつ開口部を通して上動させ得るように、ボタンキャップの外周に形成されたレール係合溝又はレールに係合するレール又はレール係合溝が肩カバーに設けられ、この肩カバーの回転操作範囲が、ボタンキャップの上面が肩カバーの上面に対して略同一面状になる通常位置及び上方に突出する使用位置にボタンキャップを回転駆動するように設定されると共に、使用位置で噴射口に対面する肩カバー領域に噴射窓が開口されていることを特徴とする。
【０００６】
通常位置では、ボタンキャップ上面は肩カバー上面に対して略同一面状になる。肩カバーを回転操作すると、ボタンキャップは回転不動の噴射ボタン本体の頭部への螺合により肩カバー上面から突出して押し下げ操作可能な使用位置に上動する。
【０００７】
【発明の実施の形態】
図１乃至図５を基に本発明の実施の形態の一例によるエアゾール容器用噴射ボタンを説明する。図１及び図２において噴射ボタンは、エアーゾル容器１の頂部に装着されたマウンティングキャップ２に内蔵の弁機構の上方付勢状態で突出するステム３に回転不動に嵌着する嵌着部１１ａを基端部に有する縦方向ノズル部１１、その上端に連通して先端部に噴射口１２ａを有する横方向ノズル部１２及びその上方に突設されて外周面にねじ溝１４が形成された頭部１３を備えた噴射ボタン本体１０と、その噴射口１２ａに対して下方の基部である縦方向ノズル部１１を細隙を置いて包囲する挿通孔２１を備え、下端部の内周壁２２でマウンティングキャップ２の外周面に嵌合する噴射ボタン基部２０と、内周面でねじ溝１４に螺合するねじ山３１を形成されたボタンキャップ３０と、上面４２にボタンキャップ３０を出没させる開口部４３を備え、下端部に噴射ボタン基部２０の外周壁２３の下縁２３ａに係合する環状の凸部４１が形成され、マウンティングキャップ２の周辺のテーパ状の肩部１ａをカバーする肩カバー４０とを備えている。
【０００８】
開口部４３の周縁の直径方向に対向する両側には、図３に示すように、ボタンキャップ３０の下端部に形成されたフランジ３３の対応位置のレール係合溝３４に、その上下スライドを許容するように係合する一対のレール４５が下設されている。その下端部には、ボタンキャップ３０の通常位置でその周面下縁３３ａを係止する爪状ストッパ４６が形成されている。これにより、肩カバー４０がエアゾール容器１と同軸状にその円周方向に回転操作されると、ボタンキャップ３０が回転駆動されて回転しつつ昇降し、その回転操作範囲は、ボタンキャップ３０の上面３６が肩カバー４０の上面４２に対して略同一面状になる高さの通常位置及び上方に突出する使用位置にボタンキャップ３０を回転駆動し得るように設定されている。
【０００９】
さらに、肩カバー４０の内周面には、縦長のリブ４７が８個突設されると共に、そのうちの１個はその幅を厚くして被拘束片４８として形成されている。対応して、噴射ボタン基部２０の外周壁２３を形成する水平状の段差面２４の外周には、エアゾール容器１の円周方向の９０°の範囲に円弧状プレートであるストッパ２５が立設され、さらに９０°ずれたより広い範囲にも同様なストッパ２５Ａが立設されている。その一方の側縁２５ｂは通常位置で被拘束片４８を拘束し、さらに９０°回転した使用位置で他方の側縁２５ａで拘束する。
【００１０】
また、噴射ボタン基部２０の周面には、被拘束片４８に干渉してクリック感を与えるための僅かに曲げ弾性を呈する一対の突片２６、２６ａが突設されている。これらの位置は、肩カバー４０の通常位置（図１及び図２）から使用位置（図４）への回転操作時に、その開始直後に被拘束片４８が突片２６ａを乗り越え、側縁２５ａに当接する直前に突片２６を乗り越え、一方使用位置から通常位置への回転操作時には、その開始直後に被拘束片４８が突片２６を乗り越え、側縁２５ｂに当接する直前に突片２６ａを乗り越えるように設定されている。
【００１１】
噴射ボタン基部２０の横方向ノズル部１２の下方領域には、その下動を許容する凹状の逃げ部２９が形成されている。肩カバー４０の使用位置で噴射口１２ａに対面する領域には、噴射窓４４が開口されている。前述のストッパ２５は、通常位置で噴射窓４４に対面して閉鎖するように位置設定されている。また、肩カバー４０の上面４２には、肩カバー４０の回転操作位置を指示するように、長方形状に僅かに肉薄にしたマーク４９が形成されている。さらに、肩カバー４０の内周面には９０°間隔で細片状突子４０ａが形成され、対応して噴射ボタン基部２０の外周壁２３の外周面には通常位置及び使用位置で突子４０ａが係合する凹部２０ａが形成されることにより、肩カバー４０の回転操作時に突子４０ａによる外周壁２３の外周面の摺動感が得られるようになっている。
【００１２】
このように構成された噴射ボタンの動作は次の通りである。図２に示す通常位置では、ボタンキャップ３０の上面３６は、肩カバー４０の上面４２より僅かに下方に没入した高さ位置を占めて、通常位置に在ることが視認される。噴射窓４４はストッパ２５に対面して内部が見えないように閉鎖されている。また、被拘束片４８がストッパ２５Ａの側縁２５ｂに当接して、肩カバー４０の時計方向の回転操作が拘束されている。この状態で、ボタンキャップ３０は突出していないことにより押し下げ操作されにくく、またバッグに収納された場合でも誤操作されないが、さらにストッパ４６で押し下げ操作が確実に拘束されている。
【００１３】
肩カバー４０をそのマーク４９を見て図４に示す使用位置に半時計方向へ９０°回転操作すると、その開始直後に及び終了直前にクリック感を伴って被拘束片４８がストッパ２５の側縁２５ａに拘束される。その過程で、ねじ山３１がねじ溝１４に沿って滑動することにより、レール係合溝３４が回転しつつレール４５に沿って上動してボタンキャップ３０の上面３６は肩カバー４０の上面４２から突出した高さ位置を占める。噴射窓４４は噴射口１２ａに対面してその先方を開放する。
【００１４】
この状態で、図５に示すように、操作部となるボタンキャップ３０上面３６を押し下げ操作すると、頭部１３への螺合状態でステム３が押し下げられてエアゾール容器１の内容物が噴射口１２ａから噴射される。通常位置に復帰させる場合、時計方向へ回転操作すると、その開始直後及び終了直前にクリック感を伴って被拘束片４８がストッパ２５Ａの側縁２５ｂに拘束される。
【００１５】
尚、肩カバーを回転可能に肩部或は噴射ボタン基部に装着する構造、肩カバーの回転操作位置を拘束するストッパ、ボタンキャップ及び肩カバー間の係合構造等は、前述の実施の形態に限らず、種々の構成が考えられる。
【００１６】
【発明の効果】
請求項１の発明によれば、通常状態では、噴射ボタン本体に上設されたをボタンキャップが肩カバー上面と略同一面状となり、誤操作が回避されると共に、操作不能状態に在ることも視認される。肩カバー自体に螺合部を備えないためにその本来の外観保護機能が損なわれない。請求項２の発明によれば、肩カバーの回転操作位置が通常位置及び使用位置で拘束されることにより回転操作がし易くなる。請求項３の発明によれば、噴射窓が噴射口から回転した場合でも内部が見えないことにより外観が確保される。請求項４の発明によれば、ボタンキャップが通常位置を占めた状態で無理に押し下げ操作されることも防止される。
【図面の簡単な説明】
【図１】本発明の実施の形態によるエアゾール容器用噴射ボタンの通常位置での断面図である。
【図２】同噴射ボタンの通常位置での平面図である。
【図３】同噴射ボタンの部分的な分解斜視図である。
【図４】同噴射ボタンの使用位置での構成を示すもので、同図Ａは平面図、同図Ｂは断面図である。
【図５】同噴射ボタンの使用位置での押し下げ操作状態を示す断面図である。
【符号の説明】
１  エアゾール容器
１ａ  肩部
２  マウンティングキャップ
３  ステム
１０  噴射ボタン本体
１２ａ  噴射口
１３  頭部
１４  ねじ溝
２０  噴射ボタン基部
２５、４６  ストッパ
３０  ボタンキャップ
３１  ねじ山
３４  レール係合溝
３６  ボタンキャップの上面
４０  肩カバー
４２  肩カバーの上面
４３  開口部
４４  噴射窓
４５  レール
４８、４８ａ  被拘束片
【図１】
0004562277.tif 000002
【図２】
0004562277.tif 000003
【図３】
0004562277.tif 000004
【図４】
0004562277.tif 000005
【図５】
0004562277.tif 000006